(57)【要約】【課題】紙幣を扱う二つの装置の一方から他方に紙幣を受け渡す装置において、両装置の設置高さが種々異なる場合に再設計の必要なしに対応可能とする。【解決手段】一方の装置に結合可能な第１フレームの上部と、前記装置の紙幣取込口を通る水平面の上側に相当する中間部とに第１プーリと第２プーリを設け、前記水平面を挟んで上下に近接する第３プーリと第４プーリを第２プーリよりも紙幣取込口に近い側に設け、他方の装置に結合可能な第２フレームの上部と下部に、第１プーリと第２プーリを結ぶ直線よりも前記一方の装置と反対側において近接する第５プーリ及び第６プーリと第７プーリとを設け、第２フレームを第１フレームに対して任意の高さに移動した後に固定できる手段を設け、第１プーリ、第５プーリ、第２プーリ、第３プーリの間に上側ベルトを、第６プーリ、第プーリ４、及び第７プーリの間に下側ベルトをそれぞれ巻回した構成とした。【選択図】　　　図１
2004067350.tif 000002
【特許請求の範囲】
【請求項１】
紙幣を扱う二つの装置の一方から他方に紙幣を受け渡す紙幣受け渡し装置であって、
（ａ）前記他方の装置に結合可能な第１フレームの上部と中間部とに、共通の垂直線上に回転軸を有する第１プーリと第２プーリを設けるとともに、前記第２プーリの下端面を通る水平面を挟んで上下に近接する第３プーリと第４プーリを、前記第２プーリよりも前記他方の装置に近い側に設け、
（ｂ）前記一方の装置に結合可能な第２フレームの上部に、前記第１プーリと第２プーリの回転軸を結ぶ直線に関して前記他方の装置と反対側において第５プーリ及び第６プーリを近接して設けるとともに、前記第２フレームの下部に第７プーリを設け、
（ｃ）前記第１フレーム及び前記第２フレームを上下方向に移動自在に保持するとともに、移動後に両フレームを締結する手段を備え、
（ｄ）上記第１プーリ、第５プーリ、第２プーリ及び第３プーリに上側ベルトを、第６プーリ、第プーリ４及び第７プーリに下側ベルトをそれぞれ巻回して構成され、
（ｅ）前記両ベルトは、第５プーリと第６プーリの間において前記一方の装置から送出される紙幣を受け入れる紙幣受入れ口を形成するとともに、第３プーリと第４プーリの間において前記他方の装置へ送込む紙幣送出し口を形成すること、を特徴とする紙幣受け渡し装置。
【発明の詳細な説明】
【０００１】
【発明の属する技術分野】
本発明は、紙幣を扱う二つの装置の一方から他方に紙幣を受け渡す紙幣受け渡し装置、さらに詳しくは、一例として紙幣搬送装置により搬送されてくる紙幣を同装置の末端から受け取り、紙幣払出機又は紙幣収納装置に渡すための装置に関する。
【従来の技術】
例えば、複数の遊技機と、その間に設置されている台間玉貸し機とによって構成されている遊戯島には、遊技者が台間玉貸し機に玉代として投入した紙幣を紙幣搬送装置により遊戯島の末端まで搬送し、そこに設置されている紙幣金庫又は紙幣受け渡し装置を介してさらに両替機の紙幣払出機に収納するようになっている。
【０００２】
ところで、紙幣搬送装置の末端に設置される紙幣金庫の設置高さは、パーラーの床面から台間玉貸し機の取付け面までの高さＨと紙幣搬送基準Ｅとの和によって決定されるが、Ｅは台間玉貸し機によって各種の違いがあるため、従来は紙幣金庫の設置高さの変化に応じて紙幣収納装置又は紙幣払出機への紙幣受渡し機構にバリエーションを持たせる必要がある。
【０００３】
【発明が解決しようとする課題】
しかしながら、従来は、紙幣受渡し機構がリジッドな構成であって、融通性に乏しいため、紙幣金庫の設置高さが変わるに連れて、その都度、設計する必要があった。
本発明は、上記の点に鑑みてなされたものであり、その課題は、紙幣を扱う二つの装置の一方から他方に紙幣を受け渡す装置において、両装置の設置高さが種々異なる場合に設計し直す必要なしに容易に対応できるようにすることにある。具体的には、紙幣金庫の設置高さに種々違いがあっても、その紙幣金庫から紙幣払出機又は紙幣収納装置に紙幣の受け渡しができる紙幣受け渡し装置を提供することにある。
【０００４】
【課題を解決するための手段】
上記課題を解決するため、本発明は、紙幣を扱う二つの装置の一方から他方に紙幣を受け渡す紙幣受け渡し装置において、前記他方の装置に結合可能な第１フレームの上部と中間部とに、共通の垂直線上に回転軸を有する第１プーリと第２プーリを設けるとともに、前記第２プーリの下端面を通る水平面を挟んで上下に近接する第３プーリと第４プーリを、前記第２プーリよりも前記他方の装置に近い側に設け、前記一方の装置に結合可能な第２フレームの上部に、前記第１プーリと第２プーリの回転軸を結ぶ直線に関して前記他方の装置と反対側において第５プーリ及び第６プーリを近接して設けるとともに、前記第２フレームの下部に第７プーリを設け、前記第１フレーム及び前記第２フレームを上下方向に移動自在に保持するとともに、移動後に両フレームを締結する手段を備え、上記第１プーリ、第５プーリ、第２プーリ及び第３プーリに上側ベルトを、第６プーリ、第プーリ４及び第７プーリに下側ベルトをそれぞれ巻回して構成され、前記両ベルトは、第５プーリと第６プーリの間において前記一方の装置から送出される紙幣を受け入れる紙幣受入れ口を形成するとともに、第３プーリと第４プーリの間において前記他方の装置へ送込む紙幣送込み口を形成することを特徴としている。
【０００５】
上記構成により、第２フレームを第１フレームに対して上方又は下方に移動して、第２フレームの紙幣受入口を一方の装置の紙幣送込み口に対向させた状態で第２フレームを第１フレームに固定し、第１フレームの紙幣送出し口を他方の装置の紙幣取込口に対向させた状態で第１フレームを他方の装置に固定し、一方の装置の紙幣送込み口と他方の装置の紙幣取込口とがベルトにより構成される搬送路により連通される。
第２フレームの第１フレームに対する高さを調整することにより、紙幣受入口及び紙幣送込み口の一方の装置の紙幣送込み口及び他方の装置の紙幣取込口に容易に適合することができる。
この場合、第１フレームの第１プーリから第５プーリを経て第２プーリまでのベルトの長さと、第２フレームの第２プーリから第６プーリ及び第７プーリを経て第４プーリまでのベルトの長さは、第２フレームがいずれの高さに移動されても、ベルトの延び率の範囲内での変動を除き、一定不変である。
【０００６】
【発明の実施の形態】
次に、本発明の実施の形態について図面を参照して説明する。
図１は、本発明に係る紙幣受け渡し装置の一例の全体的構成を示す正面図、図２は同装置の構成のうち、紙幣払出機側に取付けられる第１フレームのみを抽出して示す一部正面図、図３は同装置の構成のうち、紙幣金庫側に対向される第２フレームのみを抽出して示す一部正面図、図４は高さが変更された後の状態を示す図１に対応する正面図である。
【０００７】
図１及び図２において、１０は本発明に係る紙幣受け渡し装置Ａを構成する第１フレームである。第１フレーム１０は、図１の紙面に対して直角な方向、すなわち紙幣搬送面の幅方向に隔てて配置された一対の取付板１１からなり、両取付板の上部で取付板１１を水平方向に回転自在に直交する１本の軸上、及び両取付板の中間部で所定の位置関係をもって近接する位置において取付板１１を水平方向に回転自在に直交する３本の軸上に、それぞれプーリＰ１，Ｐ２，Ｐ３，Ｐ４が固着されている。
【０００８】
上部のプーリＰ１を第１プーリと呼称し、中間位置の３個のプーリのうち、第１プーリの垂直下方に位置するプーリＰ２を第２プーリ、その第２プーリと等しい高さに設けられたプーリＰ３を第３プーリ、第３プーリの下側に近接して設けられたプーリＰ４を第４プーリと呼称する。
【０００９】
上記第１フレーム１０は、図示されていない両替機に結合された紙幣払出機３０に、所定の位置関係をもって取付けることができる。取付ける方法は任意であるが、一例を説明すると、紙幣払出機３０に設けた連結片３１を利用して取付板１１をボルトナット等の固着手段１２，１３により固着可能である。
紙幣払出機３０は、図１の右側上部に上下一対のローラとパドルローラからなる紙幣取込み部３３を有し、その一対のローラの間に設置されている上下のガイド３４，３５の右端部により構成された紙幣取込み口３６が左方向に開口されている。そして、第１フレーム１０は、第２プーリＰ２と第３プーリＰ３の下端面を通る水平面が、紙幣払出機３０の紙幣取込み口３６を通る水平面と合致するように、紙幣払出機３０に取付けられる。
【００１０】
紙幣払出機３０は既知のものであるので、本発明の要旨に関係しない詳細な説明を省略する。紙幣払出機３０は床面に設置されるので、紙幣取込み口３６の設置高さは一定である。紙幣払出機３０は、これに代えて、同じ高さに紙幣取込み口３６を有する紙幣取込み部３３を用いる紙幣収納装置であってもよい。以下には、紙幣払出機３０の場合について説明する。
【００１１】
図１及び図３において、２０は本発明に係る紙幣受け渡し装置Ａを構成する第２フレームである。第２フレーム２０は、図１の紙面に対して直角な方向、すなわち、紙幣搬送面の幅方向に隔てて配置された一対の取付板２１からなり、両取付板の上端部で所定の位置関係をもって近接する位置において取付板２１を水平方向に回転自在に直交する２本の軸上、及び両取付板の下部で取付板２１を水平方向に回転自在に直交する１本の軸上に、それぞれプーリＰ５，Ｐ６，Ｐ７が固着されている。
上端部のプーリＰ５を第５プーリ、そのすぐ下のプーリＰ６を第６プーリ、下端部のプーリＰ７を第７プーリと呼称する。
【００１２】
また、第１フレーム１０と第２フレーム２０には、後者を上下方向に移動自在に保持するとともに、移動後に両フレームを締結する手段が備えられている。移動・締結手段の一例を説明すると、第１フレーム１０の一対の取付板１１には、第２フレームを上下方向に案内するための、第１プーリＰ１と第２プーリＰ２の間において左右２本の縦長の案内溝１４が形成され、かつ第２プーリＰ２の至近位置と取付板１１の下端部付近との間に１本の縦長の案内溝１５が形成されている。
他方、第２フレーム２０の取付板２１の上部には突出部２２が設けられ、その突出部に上側の２本の縦長の案内溝１４に昇降自在に挿通可能なボルト２３が、また、取付板２１の下端部には、下側の１本の縦長の案内溝１５に昇降自在に挿通可能なボルト２４が、それぞれ備えられている。
【００１３】
こうして、第１フレーム１０の一対の取付板１１の内側面又は外側面に第２フレーム２０の一対の取付板２１を近接し、ボルト２３，２４をそれぞれ案内溝１４と案内溝１５に挿通し、各ボルトにナット（不図示）をねじ合わせることにより、第１フレーム１０と第２フレーム２０とを結合して、一体的なフレームとすることができる。そして、ナットを緩め、第２フレーム２０を案内溝１４と案内溝１５に沿って移動し、ナットをボルト２３，２４に再び締付けることにより、第１フレーム１０に対する第２フレーム２０の固定高さを任意に設定し、あるいは調整することができる。
【００１４】
第１フレーム１０と第２フレーム２０とを結合した状態で、所定のプーリの間に一部が互いに当接する紙幣搬送用のベルトＢ１，Ｂ２が巻回されている。さらに正確には、図１に示すように、プーリＰ１，Ｐ５，Ｐ２，Ｐ３には上側ベルトＢ１が、プーリＰ４，Ｐ６，Ｐ７には下側ベルトＢ２が、それぞれ巻回されていて、ベルトＢ１，Ｂ２はプーリＰ５，Ｐ６の間からプーリＰ２を経てプーリＰ３，Ｐ４の間までにおいて所要の圧力で当接しており、プーリＰ５，Ｐ６の間で上流方向に開口する紙幣受入口Ｉを形成し、また、プーリＰ３，Ｐ４の間で下流方向に開口する紙幣送出口Ｏを形成しているとともに、紙幣受入口Ｉと紙幣送出口Ｏの間に紙幣受渡し用搬送路を構成している。
【００１５】
第１フレーム１０には、例えば取付板１１の上端部にベルト回転駆動手段の一例としてモータ１６が取付けられ、その回転軸上に固着されたプーリ１７と、第２プーリＰ２の支軸の取付板１１よりも外側に延出された部分に固着されたプーリ（１８）との間に伝動ベルト１９が巻回されていて、モータ１６が所定方向に回転されると、ベルトＢ１，Ｂ２が紙幣受入口Ｉから紙幣送出口Ｏの方向に移動するように、回転されるようになっている。
【００１６】
図１及び図３において、４０は紙幣金庫であり、第２フレーム２０は、この紙幣金庫４０に所定の位置関係をもって結合することができる。
【００１７】
紙幣金庫４０は、そのほぼ中央部に、図示されていない紙幣搬送装置の紙幣搬送路の末端に対応して開口された紙幣流入口４１を有している。紙幣搬送装置は、上述したように、遊技島の背面をその末端まで延設された紙幣搬送路を有し、各台間玉貸し機に投入された紙幣をその紙幣搬送路を介して紙幣流入口４１に、その紙幣の長手方向を図１の紙面に対して直角に向けた姿勢で搬送するようになっている。そして、紙幣流入口４１に送込まれた紙幣は、ガイド４２，４３を介して載置板４４上に載置された後、繰出しローラ４５ａ及びリバースローラ４５ｂにより一枚ずつ繰り出され、複数個のプーリ４６ａ１　〜４６ａ４　，４６ｂ１　〜４６ｂ７　に巻回されたベルト４７ａ，４７ｂと、紙幣金庫の上部に設けられた送り込みローラ４８ａ，４８ｂより、上下一対のガイド４９ａ，４９ｂの先端により構成された紙幣送込み口４１０から、図１においては左方向に水平に送り出されるようになっている。
【００１８】
上述したように、紙幣搬送装置の紙幣搬送路の設置高さ、従ってまた紙幣金庫４０の設置高さは、台間玉貸し機の種類により異なる場合がある。このため、遊技島の末端に両替機を設置する場合に、紙幣払出機３０の紙幣取込み口３６の高さが紙幣金庫４０の紙幣送込み口４１０の高さと一致しない場合が生じる。上記構成を有する本発明による紙幣受渡し装置は、このような場合に、次のようにして容易に対処することができる。
すなわち、紙幣払出機３０に紙幣受渡し装置Ａを予め取付けてある場合は、紙幣払出機３０を既設の紙幣金庫４０に接近し、第１フレーム１０と第２フレーム２０を締結しているボルトナットを緩め、案内手段１４、１５及び被案内手段２３，２４を介して第２フレーム２０をその紙幣受入口Ｉが紙幣金庫４０の紙幣送込み口４１０と対向する位置まで上方又は下方に移動し、その位置でボルトナットを締付けて、第１フレーム１０と第２フレーム２０を再び確実に締結する。
【００１９】
図１は、紙幣払出機３０の紙幣取込み口３４の高さと紙幣金庫４０の紙幣送込み口４１０の高さとの差が大きい場合に、第２フレーム２０を上方に移動した時の、第１フレーム１０と第２フレーム２０の位置関係及びベルトＢ１，Ｂ２の姿勢を示しており、また、図４は、紙幣払出機３０の紙幣取込み口３４の高さと紙幣金庫４０の紙幣送込み口４１０の高さとの差が小さい場合に、第２フレーム２０を下方に移動した時の、第１フレーム１０と第２フレーム２０の位置関係及びベルトＢ１，Ｂ２の姿勢を示している。
【００２０】
この場合、図１と図４を対比すると明らかなように、第２フレーム２０の第１フレーム１０に対する高さを変えても、上側ベルトＢ１の第１プーリＰ１から第５プーリＰ５を経て第２プーリＰ２までの長さ、及び下側ベルトＢ２の第６プーリＰ６から第７プーリＰ７を経て第４プーリＰ４までの長さは、それぞれ常に一定不変である。
そして、第５プーリＰ５と第６プーリＰ６の間から３プーリＰ３と第４プーリＰ４の間までの案におけるベルトＢ１，Ｂ２は紙幣受入口Ｉと紙幣送出口Ｏの相対的高さの変化に関わりなく、常に当接状態を維持される。従って、この紙幣受渡し装置Ａは、紙幣払出機３０と紙幣金庫４０の高さが種々異なっても、案内溝１４，１５の長さの範囲で第１フレーム１０と第２フレーム２０の相対的位置関係を調整することにより、紙幣金庫４０から紙幣払出機３０に紙幣を受け渡すことができる。
【００２１】
紙幣受渡し装置Ａは、第２フレーム２０の紙幣受入口Ｉに紙幣搬送装置の紙幣搬送路の末端を直接に接続する態様で使用することもできる。また、紙幣受渡し装置Ａは、第１フレーム１０の紙幣送出口Ｏに単に紙幣を堆積する紙幣収納装置を接続する態様で用いられてもよい。
さらに、紙幣受渡し装置ＡのベルトＢ１，Ｂ２を回転駆動するには、第１フレーム１０に設けた独立のモータ１６を用いることに代えて、紙幣払出機１０又は紙幣金庫３０のベルト又はローラの回転駆動力を利用してベルトＢ１，Ｂ２を回転させる連動手段を備えてもよい。
【００２２】
【発明の効果】
上述のように、本発明による紙幣受け渡し装置は、ベルトにより構成される紙幣受入口と紙幣送出口の相対的高さを任意に変えることができるので、設置高さの異なる二つの装置の間で紙幣の受け渡しを行うことができる。従って、例えば、遊技島に両替機や紙幣収納装置を設置する場合に、紙幣搬送装置の紙幣搬送路の高さが異なる都度に設計する必要がないので、コスト削減効果が大きい。
【図面の簡単な説明】
【図１】本発明に係る紙幣受け渡し装置の一例の全体的構成を示す正面図。
【図２】同装置の構成のうち、紙幣収納装置又は紙幣払出機側に取付けられる部分のみを抽出して示す一部正面図。
【図３】同装置の構成のうち、紙幣金庫側に取付けられる部分のみを抽出して示す一部正面図。
【図４】高さが変更された後の状態を示す図１に対応する正面図。
【符号の説明】
Ａ　　　紙幣受け渡し装置
１０　　　第１フレーム
１１　　　　取付板
１２，１３　固着手段
１４，１５　案内手段（案内溝）
１６　　　　モータ
１７，１８　プーリ
１９　　　　ベルト
２０　　　第２フレーム
２１　　　　取付板
２３，２４　結合手段（ボルトナット）
２５，２６　固着手段
Ｐ１　　　　第１プーリ
Ｐ２　　　　第２プーリ
Ｐ３　　　　第３プーリ
Ｐ４　　　　第４プーリ
Ｐ５　　　　第５プーリ
Ｐ６　　　　第６プーリ
Ｐ７　　　　第７プーリ
Ｂ１　　　　上側ベルト
Ｂ２　　　　下側ベルト
Ｉ　　　　　紙幣取込口
Ｏ　　　　　紙幣送出口
３０　　　紙幣払出機
３１　　　　取付部材
３３　　　　紙幣取込部
３６　　　　紙幣取込口
４０　　　紙幣金庫
４１　　　　紙幣流入口
４５ａ　　　繰出しローラ
４５ｂ　　　リバースローラ
４１０　　　紙幣送出口
【図１】
2004067350.tif 000003
【図２】
2004067350.tif 000004
【図３】
2004067350.tif 000005
【図４】
2004067350.tif 000006